(57)【要約】【課題】施工時やリフォーム時に任意の位置において着脱、施工できるパネル工法及びパネルの提供。【解決手段】他のパネルと隣接する端部の裏面側には召し合わせ状態で隣接パネルとの間隙を塞ぐ鉤状突起を、また表面側にはねじ受け部をいずれも端面より突出して設け、隣接するパネル同士を前記ねじ受け部にドリリグねじをねじ込むことにより接合し、またにはねじ受け部、端面及び鉤状突起受け部が形成する凹部を着脱時の遣り繰り代として用いる工法及びこのようにしたパネル。リフォーム時も補修のする部分のパネルのみを容易に取り外せるため、施工時間、コスト共に大幅に低減できる。【選択図】  図１
2004332393.tif 000002
【特許請求の範囲】
【請求項１】
略平板状パネルであって、他のパネルと接合する端部の表面近傍側には両側にねじ受け部が前記表面に略平行に突出して設けられ、前記端部の裏面近傍側には召し合わせ状態で隣接パネル端部との間隙を塞ぐ鉤状突起が設けられ、且つ端部の隣接パネルの鉤状突起に対向する側に鉤状突起を受ける凹部が設けられており、複数のパネルを並列に配置した状態において前記ねじ受け部はネジ止めするドリリングねじのねじ径より短い幅のクリアランスを形成できる形状とすることにより、パネル同士を前記ねじ受け部でドリリングねじで接合できるようにされたことを特徴とするパネル。
【請求項２】
パネル表面近傍の周辺にねじ受け部を設けられてなる複数のパネルを、前記ねじ受け部をドリリグねじ径より短い幅のクリアランスを設けて配置し、両側のパネルのねじ受け部に前記ドリリングねじをねじ込むことによりパネル同士を接合し、かつ接合部の下部でパネル裏面近傍に設けた鉤状突起を介して召し合わせ状態とし、前記ねじ受け部とパネル側面が形成する凹部をパネル着脱時の遣り繰り代として用いることを特徴とするパネル工法。
【発明の詳細な説明】
【０００１】
【発明の属する技術分野】
本発明は、建築物の壁や床，天井等を形成するためのパネル工法及びそのための新規な形状のパネルに関する。
【０００２】
【従来の技術】
建築空間を長期に渡り使用し続けるためには、古くなったり、痛んだ部分を取り換える等の必要に応じて部分的に補修できる工法や、壁、床等の位置を簡単に変更できる工法が要求されている。従来、建築物の壁構成材や床を構成する板材等（以下「パネル」と総称する）は、片側（表面側）を接合する他のパネルサネ溝に嵌合し、他方（裏面側）をネジや釘で張りつけており、中央部に位置する板材などのみを取り換えることはできず、一番端の部分から外してゆかねばならないため、建築時のやり直し作業やリフォーム時の作業性が悪く、コスト高にも繋がっていた。
【０００３】
【発明が解決しようとする課題】
本発明は、上記の従来技術の問題点を解消し、建築物の壁や床等を構成するパネルを任意の位置において、片側からの作業により容易に取り外して交換可能とし、建築時さらにはその後のリフォーム時の取り換え等を容易にできるパネル工法及びそれに用いるパネルを提供することを課題とする。
また本発明は、建築空間の使用用途に応じて、壁や床の一部を簡単に取り外したり、他の部材と交換したり、あるいはその後に再度原状に復帰させたりすることが容易なパネル工法及びパネルを提供することを課題とする。
【０００４】
【課題を解決するための手段】
本発明は上記課題を下記のパネル工法及びパネルにより解決する。
（１）  略平板状パネルであって、他のパネルと接合する端部の表面近傍側には両側にねじ受け部が前記表面に略平行に突出して設けられ、前記端部の裏面近傍側には召し合わせ状態で隣接パネル端部との間隙を塞ぐ鉤状突起が設けられ、且つ端部の隣接パネルの鉤状突起に対向する側に鉤状突起を受ける凹部が設けられており、複数のパネルを並列に配置した状態において前記ねじ受け部はネジ止めするドリリングねじのねじ径より短い幅のクリアランスを形成できる形状とすることにより、パネル同士を前記ねじ受け部でドリリングねじで接合できるようにされたことを特徴とするパネル。
（２）  パネル表面近傍の周辺にねじ受け部を設けられてなる複数のパネルを、前記ねじ受け部をドリリグねじ径より短い幅のクリアランスを設けて配置し、両側のパネルのねじ受け部に前記ドリリングねじをねじ込むことによりパネル同士を接合し、かつ接合部の下部でパネル裏面近傍に設けた鉤状突起を介して召し合わせ状態とし、前記ねじ受け部とパネル側面が形成する凹部をパネル着脱時の遣り繰り代として用いることを特徴とするパネル工法。
【０００５】
本発明の特に好ましい実施の形態として以下が挙げられる。
（３）  ２枚のパネルの前記ねじ受け部同士の間隙をドリリグねじ径の約３／５とすることを特徴とする上記（２）  記載のパネル工法。
（４）    前記ねじ受け部にカバーを取り付けることを特徴とする上記（２）  または（３）  記載のパネル工法。
【０００６】
【発明の実施の形態】
本発明はパネル同士の接合側面に突出して設けたねじ受け部分にドリリングねじをねじ込んで螺合することにより、パネルの位置にかかわらず取り外し、取付け共に容易にしたものである。パネル裏面側近傍には鉤状突起と鉤状突起を受ける凹部が若干のクリアランスをもって近接するように配置し、この鉤状突起と鉤状突起受け部の間にはシール材を配置してシールすることによりパネル同士もシールする。またこの鉤状突起受け部とパネル側面及びねじ受け部（突出部）で形成される凹部を、組み立てや取り外しの際の遣り繰りに利用する。
本発明に用いるパネルの本体については、材質、外部形状、内部の構造等において特に限定されるところはない。すなわち、断熱パネル、ハニカム構造パネル、アルミ合金製中空形材等種々の公知のパネル本体を利用できる。
【０００７】
【実施例】
以下、本発明を実施例により具体的に説明するか、本発明はこれらの実施例にのみ限定されるものではない。
図１（ａ）は本発明のパネルの一実施例とその接合を説明する概略断面図、図１（ｂ）は図１（ａ）の部分断面図である。図１（ａ），（ｂ）に示すようにパネル本体１（１ａ，１ｂ，１ｃ）の、他のパネルと接合するパネル側面１１には裏面に近い位置に鉤状突起５、表面側にねじ受け部８ａを設け、前記側面１１に対向する側面１２には裏面側に鉤状突起受け部１０、表面側にねじ受け部８ｂを設けてある。鉤状突起５とパネル側面１１及びねじ受け部８ａで形成するくぼみを金具取付け凹部７Ｌ、鉤状突起受け部１０とパネル側面１２及びねじ受け部８ｂで形成するくぼみを鉤状突起遣繰り凹部７Ｒという。
【０００８】
本発明のパネルの接合は、図１（ａ）に示すようにパネル１ａ，１ｂ，１ｃ…を並列に配置し、パネル１ａの鉤状突起受け部１０とパネル１ｂの鉤状突起５とをシール材６を介在させて組合せたとき、パネル１ａのねじ受け部８ｂとパネル１ｂのねじ受け部８ａの間に存在する間隙２にドリリングねじ３をねじ込みパネル１ａと１ｂを接合する。パネル１ｂとパネル１ｃ以下も同様に接合してゆく。前記シール材６は防水、遮音、振動防止等の効果を奏する。
【０００９】
本発明のパネルのサイズについて説明すると、鉤状突起５はその下面側にシール材を挿入または張りつけるために設けられ、鉤状突起５と鉤状突起受け部１０はパネル同士を接合する前（ドリリングねじ３のねじ込み前）あるいは、接合した後にドリリングねじ３を外した際（パネル取り換え等の際）にパネルを容易に着脱可能とするために、製造時の寸法精度、許容差を見込んだクリアランス４を設けておく。パネル接合部であるねじ受け部の間隙はドリリングねじ３のねじ径の約３／５程度とすると好都合である。
また、鉤状突起遣繰り凹部７Ｒは、パネル接合又は取り外しの際に、鉤状突起を遣り繰りし、ドリリグねじ部８をくぐり抜けることができる深さを有するように設計する。
【００１０】
図２（ａ）〜（ｅ）は、連続して取付けられた本発明のパネル群から、１枚のパネルを取り出す方法を工程順に模式的に説明した図であり、パネル１ｂを鳥は図すためにドリリングねじを抜き取り〔図２（ａ）〕、パネル１ｂを下から押し上げ〔同（ｂ）〕、パネル１ｂの鉤状突起５ｂの方向に遣り繰りする〔同（ｃ）〕。このよう鉤状突起遣繰り凹部７Ｒの深さはパネル１ｂがパネル１ｃの鉤状突起５ｃから離れることのできる寸法とする。次にパネル１ｂを更に押し上げると鉤状突起５ｂがねじ受け部８ｂに当たり〔同（ｄ）〕、パネル１ｂを更に押し上げることにより、両側のパネル１ａ，１ｃを動かすことなくパネル１ｂを取り外せる〔同（ｅ）〕。
【００１１】
図３は本発明の他の実施例において、パネルを取付け金具１３を介して建築物の大引、胴縁等１４への取付状態を示す図である。パネルの両側面に取り付ける取付け金具１３の形状を共通とするために、金具取付け凹部４Ｌの深さＳ′は、パネル遣り繰りに必要な深さＳと同寸法とする。
【００１２】
図４（ａ）に本発明の他の実施例を示す。複数のパネルを並列に並べたとき、パネル相互のドリリングねじ接合部の間隙を一定の範囲内に収めるため、ねじ受け部８の側面に略コ字型の間隙調整材９を挿入する凹部１５を設け、パネル１（ａ）  、パネル１（ｂ）  を配置したあと、ねじ受け部側面の凹部１５に間隙調整材９を差し込むことにより、ドリリングねじ込み間隙２を規制するものである。
【００１３】
図４（ｂ）は本発明の他の実施例を示す図であり、ねじ受け部側面の凹部１５に間隙カバー１６を差し込み、ドリリグねじ３を隠すというデザイン的配慮を施した例である。
【００１４】
図５は本発明の更に他の実施例を示す図である。図５において鉤状突起１０にシール材６ａを嵌合挿入する鍔等１７を設け、パネル１の側面１１及び側面１２の形状を対称形とし、別部品であるシール材６ｓ等で鉤形状を構成したことにより、図３に示す取付け金具１３をコンパクトにし、パネル取付け基準線内に収めることができる。
【００１５】
【発明の効果】
本発明によれば、任意の位置のパネルの交換を簡単に実施できるので、部分的に新規パネルに取り換えたり、使用条件に併せて開口部を拡張したり、一を変更したり、空間形態の変更も容易とすることができる。
従来の建築工法により外壁や床材、屋根葺き材等は、一度施工すると変更が容易ではなく、古くなったり、機能が低下した場合に改修し難く、改修よりは解体、廃棄し、新築し直すことを選択せざるを得ないケースが多かったが、本発明を利用することにより、コストを低減し、廃棄処分量を減らし、環境に優しい建築を構築することができる。
【図面の簡単な説明】
【図１】本発明のパネル及びパネル工法の一実施例を示す図であって、（ａ）は概略断面図、（ｂ）は（ａ）の部分斜視図である。
【図２】本発明のパネルを施工後に一部取り外す手順を工程順に模式的に示した概略断面図である。
断面図である。
【図３】本発明の他の実施例であって、取付け金具でバネルを固定した状態を示す概略断面図である。
【図４】本発明の他の実施例あ示す概略断面図であって、（ａ）は間隙調整材を設けた例、（ｂ）をは間隙カバーを設けた例をそれぞれ示す。
【図５】本発明の他の実施例であって、鉤状突起と鉤状突起受け部をシール材で結合した状態を示す概略断面図である。
【符号の説明】
１，１ａ，１ｂ，１ｃ  パネル
２  パネル接合部間隙
３  ドリリグねじ
４  パネル裏面のクリアランス
５，５ａ，  鉤状突起
６及び６ｓ  シール材
７Ｒ  鉤状突起遣繰り凹部
７Ｌ  金具取付け凹部
８，８ａ，８ｂ    ねじ受け部
９  間隙調整材
１０  鉤状突起受け部
１１  側面
１２  側面
１３  取付け金具
１４  大引，胴縁等
１５  凹部
１６  間隙カバー
１７  鍔等
Ｓ    パネル着脱時の遣り繰りに必要な深さ
Ｓ′  金具取付け凹部７Ｌの深さ
【図１】
2004332393.tif 000003
【図２】
2004332393.tif 000004
【図３】
2004332393.tif 000005
【図４】
2004332393.tif 000006
【図５】
2004332393.tif 000007